(57)【要約】      （修正有）【課題】簡単に製造できて、幼児から老齢者に至る広範囲の使用者が様々な変化に富んだ装飾形態とすることができる、安全かつ簡易であり、効果の確実な高輝度反射吊下装飾具製作キットを提供する。【解決手段】熱可塑性樹脂製素材の乳白色光拡散シート１ｂと、該シートの少なくとも一方の面上に積層した同素材からなる再帰性高輝度反射シート１ａとの積層体を任意の閉鎖形状の外周部分で相互に容着切断し、別途該閉鎖形状内の任意の部分で該積層体を相互に熱容着し該容着部分内に開けた貫通孔１ｃを有する積層体を装飾プレート本体１と成し、前記貫通孔１ｃに通す吊下用紐状体と前記装飾プレート本体１に貼付ける複数の絵柄の印刷シールシートから構成されて成り任意の工作表現ができることを特徴とする。【選択図】図５
0003198087.tif 000002
【実用新案登録請求の範囲】
【請求項１】
熱可塑性樹脂製素材の乳白色光拡散シートと該シートの少なくとも一方の面上に積層した同素材から成る回帰性高輝度反射シートとの積層体を任意の閉鎖形状の外周部分で相互に溶着切断し、別途該閉鎖形状内の任意の部分相互を熱溶着し該溶着部分内に開けた貫通孔を有する前記積層溶断体を装飾プレート本体と成し、前記貫通孔に通す吊下用紐状体と前記装飾プレート表面に貼付る複数の絵柄の印刷シールシートとから構成されて成り前記構成部材を用いて、及び別途任意の部材を付加して任意の工作表現ができることを特徴とする高輝度反射吊下装飾具製作キット。
【考案の詳細な説明】
【考案の詳細な説明】
【技術分野】
【０００１】  本考案は人体や設備品に取り付け、あるいは個人が携行する物品に固縛して外部から照射された光を効率良く反射して、該反射体の存在を認知せしむるために使用する回帰性の高輝度反射材を使った吊下装飾具を作成する製作キットに関するものである。
【背景技術】
【０００２】  従来、回帰性の高輝度反射材を応用して種々の製品が知られている。自らは光源を持たず外部から照射された光を高効率で反射する本素材の性質を応用して、夜間に自己の存在を知らせて事故防止を図る目的で着衣や携行品更にはペット動物の首輪や自動車の車体、商品の包装包等に固着する事例等が広く知られている。しかしながらこれらの事例は、部品として扱われ更に組立て加工、製作工程に係るというものではなくいずれも個別の商品として完成されたものであり比較的費用を要し、例えば教育、介護、養護保育等の分野における工作教材として使用し難いものである。
【先行技術文献】
【特許文献】
【０００３】
【特許文献１】特開２００４−１３２１４４号公報
【特許文献２】実用新案登録３０３５８２３号公報
【特許文献３】実用新案登録３１８２２４４号公報
【考案の概要】
【考案が解決しようとする課題】
【０００４】  本考案の目的はこのような難点を解消するものであり、すなわち簡単に製造することができ、幼児から老齢者に至る広範囲の使用者が様々な変化に富んだ装飾形態とすることができる安全かつ簡易であり効果の確実な装飾具製作キットを提供することにある。
【課題を解決するための手段】
【０００５】  請求項１に記載の考案によれば、乳白色の光拡散シートの少なくとも一方の面上には外部光源から照射された光を高い効率で反射する回帰性高輝度反射材からなる反射シートが重ねられ、これら両方のシート素材は熱可塑性樹脂材である。上記シートを任意の閉鎖形状の外周に沿って熱溶着しつつ切断すると２種類の上記シートの積層溶断体ができる。別途任意の場所を溶着し該溶着部分を該溶着面積以下の範囲で開孔したものを反射装飾体プレート本体とする。前記開孔部を貫通できる吊り下げ用紐状体及び前記装飾プレート表面に貼付ける絵柄が印刷されたシールシートを揃えて一つの製作キットを構成することにより課題を解決している。【０００６】  すなわち、本考案によれば本プレートは回帰性高輝度反射材と乳白光拡散シートとの積層溶断体であるのでの単独使用の場合に比して外部光源から照射された光を高効率で反射するのみならず素材色を高彩度で再現できる特性を有する。また当然の事ながら乳白光拡散シートを中間材としてその両面を高輝度反射材で積層する三層積層溶断体を形成でき両面使用できるので更に様々な装飾性を持たせる事ができる。【０００７】  前記装飾プレート表面に貼付ける絵柄が印刷されたシールシートは素材が紙、高輝度反射材、軟質樹脂シート等であり、裏面に粘着材塗布したもの。あるいは絵柄外周が切り抜かれているもの等が自由に構成できる。
【考案の効果】
【０００８】  上述のように本考案の吊下装飾具製作キットは、外部光源から照射された光を高効率で反射するのみならず素材につけた色を高彩度で極めて鮮やかに再現できるので、一層の装飾効果を高める事ができる。したがって色彩に鋭敏な幼児のみならず色覚の衰えた老齢者に至る広範囲の使用者の使用条件を考慮した安全かつ簡易であり効果の確実な反射素材として有効な視認効果をもたらす安全具として簡便かつ極めて効果的である。【０００９】  また例えば幼児教育や養護教育の場合には、添付された粘着シールを製作意図に合わせて台紙から剥がし本体に正しく貼付ける作業や筆記具によって様々な色彩効果を考慮して適切な文字数、文字の大きさ等も正確記入しなければならず、工作技能の訓練としても有効な教材の一種であり、かつ完成した作品を自己や他者の安全具として使用できる２重の効果を学ぶものとして極めて有効である。同様に老人介護や長期入院患者等のの作業療法補助具、持ち物の識別票としての使用も有効である。更に比較的安価に製造できるので企業等の記銘宣伝具としても使用する事ができる等、日常生活においても簡便かつ極めて効果的である。
【実施例】
【００１０】    以下、添付図面に従って一実施例を説明する。［第１図］によって説明すると本図は、高輝度反射材によって円形に成形され円の外周を溶着し別途溶着部分を開孔した状態の吊下装飾プレート本体を示す平面図である。【００１１】    ［第２図］によって説明すると、本図は［第８図］に示す３種類の全部品を使って製作した状態を示す使用状態を示す平面図による説明図である。すなわち１吊下装飾プレート本体の開孔部に２吊下具であるボールチェーンを貫通させ、３シールシートからはがした任意の図柄３ａ、３ｂを前記プレート表面に貼付け、別途油性筆記具で４手書き文字を書き加えて交通安全を意図した吊下装飾プレートを製作し一実施例である。【００１２】    ［第３図］によって説明すると、本図は［第１図］における縦の略中央部にあたるＡ−Ａ’線における断面図である。【００１３】    ［第４図］によって説明すると、本図は［第１図］における横の略中央部にあたるＢ−Ｂ’線における断面図である。【００１４】    ［第５図］によって説明すると、本図は［第３図］の拡大図であり、［第１図］の構造説明図に相当する。【００１５】    ［第６図］によって説明すると、本図は［第４図］の拡大図であり、［第１図］の構造説明図に相当する。【００１６】    ［第７図］によって説明すると、本図は本考案実施例の組立て前の全構成部品を並置した状態を示す平面図であり、すなわち１吊下装飾プレート本体、２吊下用紐状体としてのボールチェーン及び３多数の絵柄からなる貼付用シール印刷シートである。
【図面の簡単な説明】
【００１７】
【図１】本考案実施例の吊下装飾プレート本体を示す平面図である。
【図２】本考案実施例の使用状態を示す平面図による参考図である。
【図３】Ａ−Ａ’線部の断面図による説明図である。
【図４】Ｂ−Ｂ’線部の断面図による説明図である。
【図５】Ａ−Ａ’線部の拡大断面図による構造説明図である。
【図６】Ｂ−Ｂ’線部の拡大断面図による構造説明図である。
【図７】本考案実施例の吊下装飾具組立てキット構成部材を示す平面図である。
【符号の説明】
【００１８】  １    高輝度反射材による吊下装飾プレート本体
１ａ  高輝度反射シート材
１ｂ  乳白拡散シート材
１ｃ  開孔部
１ｄ  接合部
２    吊下用ボールチェーン
３    貼付用シール印刷シート
３ａ  貼付シ−ル
３ｂ  貼付シ−ル
３ｃ  貼付シ−ル
４    手書き文字
【図１】
0003198087.tif 000003
【図２】
0003198087.tif 000004
【図３】
0003198087.tif 000005
【図４】
0003198087.tif 000006
【図５】
0003198087.tif 000007
【図６】
0003198087.tif 000008
【図７】
0003198087.tif 000009
【手続補正書】
【提出日】平成27年3月20日(2015.3.20)
【手続補正１】
【補正対象書類名】実用新案登録請求の範囲
【補正対象項目名】全文
【補正方法】変更
【補正の内容】
【実用新案登録請求の範囲】
【請求項１】
熱可塑性樹脂製素材の乳白色光拡散シートと、該シートの少なくとも一方の面上に積層した同素材からなる再帰性高輝度反射シートとの積層体を任意の閉鎖形状の外周部分で相互に容着切断し、別途該閉鎖形状内の任意の部分で該積層体を相互に熱容着し該容着部分内に開けた貫通孔を有する積層体を装飾プレート本体と成し、前記貫通孔に通す吊下用紐状体と前記装飾プレートに貼付ける複数の絵柄の印刷シールシートから構成されて成り任意の工作表現ができることを特徴とする高輝度反射吊下装飾具制作キット。